(57)【特許請求の範囲】
【請求項１】
湯と水とを混合して混合水を生成するミキシングバルブと、
前記混合水を人体局部に向けて噴射して洗浄を行うノズルと、
前記混合水の流路であって、
前記ミキシングバルブの下流側に設けられ、１つの電磁弁を有する切替部と、
前記切替部から分岐し前記ノズルへ前記混合水を導くノズル側水路と、
前記切替部から分岐し前記混合水を外部へ排出する第１捨水路と、
を含む流路と、
を備え、
前記切替部は、
前記電磁弁によって前記第１捨水路への通水が制御される第１弁と、
前記電磁弁によって前記ノズル側水路への通水が制御される第２弁と、
前記第２弁の背面に設けられた背面室と、
を有し、
前記電磁弁が通電されていないときに前記切替部に前記混合水が流入した場合には、
前記混合水が前記第１弁に達すると、前記第１弁が前記混合水の水圧を受けて開くことにより前記混合水が前記第１捨水路に流れ、
前記混合水が前記背面室に流入すると、前記第２弁が前記背面室に溜まった水圧を受けて閉じた状態となることにより前記混合水を前記ノズル側水路に流さないことを特徴とする衛生洗浄装置。
【請求項２】
制御部をさらに備え、
前記電磁弁が通電されているときに前記切替部に前記混合水が流入した場合、前記第２弁は、前記第１弁よりも開きやすく、
前記制御部は、前記電磁弁が通電されている状態において、前記ミキシングバルブから前記切替部への前記混合水の流入が開始されるように前記電磁弁を制御することを特徴とする請求項１記載の衛生洗浄装置。
【請求項３】
制御部をさらに備え、
前記制御部は、前記ミキシングバルブに前記水及び前記湯が流入しない状態において、前記電磁弁を、通電されている状態から通電されていない状態に切り替えることを特徴とする請求項１記載の衛生洗浄装置。
【発明の詳細な説明】
【技術分野】
【０００１】
本発明の態様は、一般的に、衛生洗浄装置に関する。
【背景技術】
【０００２】
トイレに設置される衛生洗浄装置は、ノズルから洗浄水を使用者の局部に噴射して、局部を洗浄する。このとき、噴射される洗浄水の温度が低すぎると、使用者が不快に感じることがある。そこで、衛生洗浄装置には、局部洗浄時に適度な温度の温水を噴射することが望まれる。
【０００３】
温水を供給する方法として、多数のトイレが設置される設備においては、例えば、セントラル給湯方式と呼ばれる給湯の方式が採用される。セントラル給湯方式においては、１ヶ所に設置された加熱装置によって水が熱され、湯が生成される。生成された湯は、配管等によって各トイレ室へ導かれる。また、湯とは別に、常温の水が水道管等の配管によって各トイレ室へ導かれる。このとき、衛生洗浄装置には、ミキシングバルブ（湯水混合弁）が用いられる。ミキシングバルブは、湯と常温の水とを混合して温水（混合水）を生成する。
【０００４】
このような衛生洗浄装置には、例えば、温水をノズルへ導くノズル側水路と、温水を排水する捨水路と、が設けられる。そして、衛生洗浄装置は、使用者が局部洗浄を行う前に、まず、湯の配管中および混合水の流路中に残留して冷えた水を、捨水路によって排水する。その後、ノズル側水路によって、ノズルから温水が噴射される。これにより、局部洗浄において、適度な温度の温水を噴射することが可能となる。
【０００５】
また、一般の洗浄ノズルにおいても、洗浄ノズルまでの流路中に残留した洗浄水は、冷えていることがある。そこで、洗浄開始から或る時間が経過して適温となるまで排水を行うシステムが用いられることがある。
【０００６】
上記のように、温水をノズルへ導く流路と温水を排水する流路との２つの流路が設けられた場合、２つの流路のそれぞれに電磁弁を設けられ、これにより、流路を切り替える手段が一般的である（特許文献１）。
【先行技術文献】
【特許文献】
【０００７】
【特許文献１】特許第０３５８０４３４号公報
【発明の概要】
【発明が解決しようとする課題】
【０００８】
特許文献１のように、２つの流路のそれぞれに電磁弁を設けると、電磁弁の数に応じて、衛生洗浄装置の製造のコストが増大したり、衛生洗浄装置が肥大化したりする問題がある。
【０００９】
本発明は、かかる課題の認識に基づいてなされたものであり、湯と水とが別々に供給される場合において、コンパクトで低コストな衛生洗浄装置を提供することを目的とする。
【課題を解決するための手段】
【００１０】
第１の発明は、湯と水とを混合して混合水を生成するミキシングバルブと、前記混合水を人体局部に向けて噴射して洗浄を行うノズルと、前記混合水の流路であって、前記ミキシングバルブの下流側に設けられ、１つの電磁弁を有する切替部と、前記切替部から分岐し前記ノズルへ前記混合水を導くノズル側水路と、前記切替部から分岐し前記混合水を外部へ排出する第１捨水路と、を含む流路と、を備え、前記切替部は、前記電磁弁によって前記第１捨水路への通水が制御される第１弁と、前記電磁弁によって前記ノズル側水路への通水が制御される第２弁と、前記第２弁の背面に設けられた背面室と、を有し、前記電磁弁が通電されていないときに前記切替部に前記混合水が流入した場合には、前記混合水が前記第１弁に達すると、前記第１弁が前記混合水の水圧を受けて開くことにより前記混合水が前記第１捨水路に流れ、前記混合水が前記背面室に流入すると、前記第２弁が前記背面室に溜まった水圧を受けて閉じた状態となることにより前記混合水を前記ノズル側水路に流さないことを特徴とする衛生洗浄装置である。
【００１１】
この衛生洗浄装置によれば、１つの電磁弁によって、温水がノズル側水路へ流れる状態と、温水が第１捨水路へ流れる状態と、を切り替えることができる。このため、切替部に電磁弁を２つ設ける必要がない。従って、コンパクトで低コストな衛生洗浄装置を提供することができる。
【００１３】
この衛生洗浄装置によれば、電磁弁が故障して開かない場合でも、温水は、第１捨水路側へ向かう。これにより、意図せずに、ノズルから使用者へ向けて温水が噴射されることを防ぐことができる。
【００１４】
第２の発明は、第１の発明において、制御部をさらに備え、前記電磁弁が通電されているときに前記切替部に前記混合水が流入した場合、前記第２弁は、前記第１弁よりも開きやすく、前記制御部は、前記電磁弁が通電されている状態において、前記ミキシングバルブから前記切替部への前記混合水の流入が開始されるように前記電磁弁を制御することを特徴とする衛生洗浄装置である。
【００１５】
この衛生洗浄装置によれば、切替部への混合水の流入が開始される前に、電磁弁が通電されている。このため、切替部に混合水が流入した時点で、第２弁は、開きやすい状態となっている。これにより、スムーズにノズルへ温水を供給することができる。第１弁及び第２弁に生じる不要な変位を抑制し、切替部の動作を安定させることができる。
【００１６】
第３の発明は、第１の発明において、制御部をさらに備え、前記制御部は、前記ミキシングバルブに前記水及び前記湯が流入しない状態において、前記電磁弁を通電されている状態から通電されていない状態に切り替えることを特徴とする衛生洗浄装置である。
【００１７】
この衛生洗浄装置は、ミキシングバルブへの水及び湯の流入、すなわち、切替部への混合水の流入を停止させてから、電磁弁を非通電状態に切り替える。これにより、第１弁が不要に開くことを抑制することができる。
【発明の効果】
【００１８】
本発明の態様によれば、湯と水とが別々に供給される場合において、コンパクトで低コストな衛生洗浄装置を提供することができる。
【図面の簡単な説明】
【００１９】
【図１】本発明の実施の形態にかかる衛生洗浄装置を備えたトイレ装置を表す斜視図である。
【図２】実施形態に係る衛生洗浄装置の内部を例示する平面図である。
【図３】実施形態に係る衛生洗浄装置における水路を例示するブロック図である。
【図４】図４（ａ）〜図４（ｃ）は、実施形態に係る衛生洗浄装置の一部を例示する斜視図及び断面図である。
【図５】図５（ａ）〜図５（ｃ）は、実施形態に係る衛生洗浄装置の一部を例示する斜視図及び断面図である。
【図６】図６（ａ）〜図６（ｃ）は、実施形態に係る衛生洗浄装置の一部を例示する斜視図及び断面図である。
【図７】実施形態に係る衛生洗浄装置の動作の具体例を例示するタイミングチャートである。
【図８】実施形態に係る衛生洗浄装置の動作の具体例を例示するタイミングチャートである。
【発明を実施するための形態】
【００２０】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す斜視図である。  
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００２１】
ここで、本願明細書においては、便座２００に座った使用者からみて上方を「上方」とし、便座２００に座った使用者からみて下方を「下方」とする。また、開いた状態の便蓋３００に背を向けて便座２００に座った使用者からみて前方を「前方」とし、便座２００に座った使用者からみて後方を「後方」とする。また、便座２００に座った使用者からみて右側を「右側方」とし、便座２００に座った使用者からみて左側を「左側方」とする。
【００２２】
ケーシング４００の内部には、便座２００に座った使用者の「おしり」などの洗浄を実現する局部洗浄機能部などが内蔵されている。また、例えばケーシング４００には、トイレ室への使用者の入室を検知する入室検知センサ４０２（人体検知手段）、便座２００の前方にいる使用者を検知する人体検知センサ４０３（人体検知手段）、便座２００への使用者の着座を検知する着座検知センサ４０４（人体検知手段）が設けられている。
【００２３】
着座検知センサ４０４が便座２００に座った使用者を検知している場合において、使用者が例えばリモコンなどの操作部５００を操作すると、ノズル４７３（洗浄ノズル）を便器８００のボウル８０１内に進出させることができる。なお、図１に表した衛生洗浄装置１００では、ノズル４７３がボウル８０１内に進出した状態を表している。ノズル４７３の進退は、モータによる駆動力などの任意の手段によって行われる。
【００２４】
ノズル４７３の先端部には、ひとつあるいは複数の吐水口４７４が設けられている。そして、ノズル４７３は、その先端部に設けられた吐水口４７４から水や温水を噴射して、便座２００に座った使用者の「おしり」などを洗浄することができる。
【００２５】
なお、着座検知センサ４０４は、使用者が便座２００に着座する直前において便座２００の上方に存在する人体や、便座２００に着座した使用者を検知することができる。すなわち、着座検知センサ４０４は、便座２００に着座した使用者だけではなく、便座２００の上方に存在する使用者を検知することができる。このような着座検知センサ４０４としては、例えば、赤外線投受光式の測距センサなどを用いることができる。
【００２６】
また、人体検知センサ４０３は、便器８００の前方にいる使用者、すなわち便座２００から前方へ離間した位置に存在する使用者を検知することができる。つまり、人体検知センサ４０３は、トイレ室に入室して便座２００に近づいてきた使用者を検知することができる。このような人体検知センサ４０３としては、例えば、赤外線投受光式の測距センサなどを用いることができる。
【００２７】
また、入室検知センサ４０２は、トイレ室のドアを開けて入室した直後の使用者や、トイレ室に入室しようとしてドアの前に存在する使用者を検知することができる。つまり、入室検知センサ４０２は、トイレ室に入室した使用者だけではなく、トイレ室に入室する前の使用者、すなわちトイレ室の外側のドアの前に存在する使用者を検知することができる。このような入室検知センサ４０２としては、焦電センサや、ドップラーセンサなどのマイクロ波センサなどを用いることができる。マイクロ波のドップラー効果を利用したセンサや、マイクロ波を送信し反射したマイクロ波の振幅（強度）に基づいて被検知体を検出するセンサなどを用いた場合、トイレ室のドア越しに使用者の存在を検知することが可能となる。つまり、トイレ室に入室する前の使用者を検知することができる。
【００２８】
また、ケーシング４００には、便座２００を温める「便座ヒータ」や、便座２００に座った使用者の「おしり」などに向けて温風を吹き付けて乾燥させる「温風乾燥機能」や、「脱臭ユニット」や「室内暖房ユニット」などの各種の機構が適宜設けられていてもよい。例えば、脱臭ユニット４８１は、電解水などが含浸されたフィルター及び脱臭ファン４８２を有する（図２参照）。トイレ室内の臭気は、脱臭ファン４８２の動作によって、ケーシング４００内に吸引され、フィルターを通過する。これにより、悪臭成分が電解水によって吸収又は分解される。この際、ケーシング４００の側面又は背面には、脱臭ユニットからの排気口及び室内暖房ユニットからの排出口が適宜設けられる。ただし、実施形態においては、便座ヒータ、温風乾燥機能、脱臭ユニット及び室温暖房ユニットなどは、必ずしも設けられなくてもよい。
【００２９】
図２は、実施形態に係る衛生洗浄装置の内部を例示する平面図である。  
図２は、ケーシング４００に内蔵されている局部洗浄機能部を表す。衛生洗浄装置１００は、給水管９１と、給湯管９２と、給水接続部１０と、給湯接続部２０と、水側バルブユニット１５と、湯側バルブユニット２５と、ミキシングバルブ３０と、安全弁部４０と、切替部５０（切替弁ユニット）と、オートクリーンユニット６０（機能水生成部６１）と、ノズル部４７０と、制御部４８０と、脱臭ユニット４８１と、を含む。これらは、ケーシング４００のケースプレート４０１上に配置されている。ケースプレート４０１は、略水平方向に延在する皿状又は板状である。ケースプレート４０１は、適宜、排水等のために水平方向に対して傾斜した部分を有していてもよい。なお、図２では、便宜上、ケーシング４００内の一部の要素を省略している。
【００３０】
制御部４８０は、ＩＣ素子などを含む制御回路（マイコン）である。制御部４８０によって、水側バルブユニット１５、湯側バルブユニット２５、ノズル部４７０及び脱臭ユニット４８１（脱臭ファン４８２）等に含まれる電磁弁やモータなどの動作が制御される。また、制御部４８０は、人体検知手段、便座ヒータ、オートクリーンユニット６０などの動作を制御する。
【００３１】
図３は、実施形態に係る衛生洗浄装置における水路を例示するブロック図である。  
給水管９１は、水側配管部１４を介して、水道や貯水タンクなどの給水源（図示せず）と接続される。水側配管部１４は、ストレーナ１１と、ストレーナ１１の下流側に設けられた逆止弁１２と、逆止弁１２の下流側に設けられた止水弁１３と、を有する。給水管９１の下流側の端は、給水接続部１０に接続される。これにより、給水管９１は、衛生洗浄装置１００に水を供給する。給水接続部１０の下流側には、水側バルブユニット１５が設けられる。水側バルブユニット１５は、給水電磁弁１６と、その下流側の水側調圧弁１７と、を有する。水側バルブユニット１５の下流側には、ミキシングバルブ３０が設けられる。給水電磁弁１６の開閉によって、ミキシングバルブ３０へ水が供給される状態と、水の供給が停止された状態と、を切り替えることができる。水側調圧弁１７は、例えば、シリンダ内に設けられバネ等によって付勢された弁（ピストン）を有する。シリンダ内に流入する水の圧力とバネ等による付勢力とに応じて、弁の開度が変化する。これにより、水側調圧弁１７は、ミキシングバルブ３０へ供給される水の圧力を調整する。
【００３２】
一方、給湯管９２は、湯側配管部２４を介して、加熱装置などの給湯源（図示せず）と接続される。湯側配管部２４は、ストレーナ２１と、ストレーナ２１の下流側に設けられた逆止弁２２と、逆止弁２２の下流側に設けられた止水栓２３と、を有する。給湯管９２の下流側の端は、給湯接続部２０に接続される。これにより、給湯接続部２０は、衛生洗浄装置１００に加熱された湯を供給する。給湯接続部２０の下流側には、湯側バルブユニット２５が設けられる。湯側バルブユニット２５は、給湯電磁弁２６と、その下流側の湯側調圧弁２７と、を有する。湯側バルブユニット２５の下流側にミキシングバルブ３０が設けられる。給湯電磁弁２６の開閉によって、ミキシングバルブ３０へ湯が供給される状態と、湯の供給が停止された状態と、を切り替えることができる。湯側調圧弁２７は、例えば、シリンダ内に設けられバネ等によって付勢された弁（ピストン）を有する。シリンダ内に流入する湯の圧力とバネ等による付勢力とに応じて、弁の開度が変化する。これにより、湯側調圧弁２７は、ミキシングバルブ３０へ供給される湯の圧力を調整する。
【００３３】
ミキシングバルブ３０は、供給された湯と水とを混合して混合水を生成する。これにより、適度な温度の温水（混合水）を、下流側へ供給することができ、ノズル４７３から噴射することができる。なお、本願明細書において、「温水」とは、給水管から供給された水と、給湯管から供給された湯と、が任意の割合で混合された混合水をいう。特に言及しない場合、温水の温度は限定されない。
【００３４】
この例では、ミキシングバルブ３０には、温度検知手段が設けられる。これにより、ミキシングバルブ３０は、温水の温度を自動で調整することができる。例えば、ミキシングバルブ３０は、温度検知手段としてワックスエレメントを用いたワックス式温度調整弁である。なお、実施形態において、ミキシングバルブ３０には、ワックス式温度調整弁に限らず、任意の湯水混合弁を用いることができる。例えば、温度検知手段としてバイメタルや任意の温度センサを用いることができる。
【００３５】
ミキシングバルブ３０の下流側には、安全弁部４０が設けられる。安全弁部４０は、サーミスタ４１と安全弁４２を有する。安全弁４２は、例えば、シリンダ内に設けられバネ等によって付勢された弁（ピストン）を有する。シリンダ内に流入する温水の圧力が所定値よりも高くなると、弁が開き、図２及び図３に表した矢印Ａ４のように温水は、ケースプレート４０１側へ導かれる。これにより温水は、ケースプレート４０１の前方に設けられた開口から外部（例えばボウル８０１）へ排水される。
【００３６】
衛生洗浄装置１００が有する温水の流路１１０は、ミキシングバルブ３０及び安全弁部４０の下流側に設けられた第１分岐部５１と、ノズル側水路５５と、第１捨水路８１と、を含む。ノズル側水路５５及び第１捨水路８１は、それぞれ、第１分岐部５１の下流側に設けられ、第１分岐部５１から分岐している。
【００３７】
第１分岐部５１には、切替部５０（切替弁ユニット）が設けられている。切替部５０は、電磁弁１５０を含む。これにより、第１分岐部５１は、ミキシングバルブ３０から供給された温水の流路を切り替える。すなわち、電磁弁１５０のＯＮ／ＯＦＦによって、温水がノズル側水路５５へ流れる状態と、温水が第１捨水路８１へ流れる状態と、が切り替えられる。温水は、ノズル側水路５５及び第１捨水路８１の双方に同時に流れなくてよい。
【００３８】
第１捨水路８１には、負圧破壊装置１５３が設けられている。第１捨水路８１へ流れた温水は、図２及び図３に表した矢印Ａ５のように、ケースプレート４０１側へ導かれ、ケースプレート４０１の前方に設けられた開口から外部（例えばボウル８０１）へ捨てられる。
【００３９】
例えば、使用者が衛生洗浄装置１００を使用するときに、着座検知センサ４０４の出力に応じて、水側バルブユニット１５及び湯側バルブユニット２５が開かれる。このとき、湯や温水の流路、及び、その流路内に残留した温水が冷えていることがある。また、ミキシングバルブ３０に所定量以上の水及び湯を流すことにより、ミキシングバルブ３０は、温水の温度を調整することができる。このため、使用者の使用開始直後においては、ミキシングバルブ３０から供給される温水の温度が使用者にとって低い場合がある。そこで、衛生洗浄装置１００は、人体の着座検知の後に、所定量の温水を第１捨水路８１へ捨てる。例えば、ミキシングバルブ３０において、温水が適度な温度となるまで、第１捨水路８１へ温水が流される。
【００４０】
その後、例えば、使用者が局部洗浄を行う際に操作部５００を操作することで、電磁弁１５０によって流路が切り替えられる。これにより温水は、ノズル側水路５５へ流れる。ノズル側水路５５は、第２分岐部５２と、導水路７０と、第２捨水路８２と、を含む。導水路７０及び第２捨水路８２は、それぞれ、第２分岐部５２の下流側に設けられ、第２分岐部５２から分岐している。
【００４１】
第２捨水路８２は、温水をケースプレート４０１側へ導き、矢印Ａ６のように、ケースプレート４０１の前方に設けられた開口から外部（例えばボウル８０１）へ捨てる。導水路７０は、ノズル部４７０（ノズル４７３）へ温水を導く。
【００４２】
ノズル部４７０は、流量切替弁４７１と流路切替弁４７２とノズル４７３とを有する。流量切替弁４７１及び流路切替弁４７２によって、ノズル４７３における水勢の調節や、水を吐出する吐水口４７４の切替などが可能である。  
以上により、適度な温度の温水（混合水）をノズル４７３から噴射することができる。
【００４３】
第２分岐部５２よりも下流側の導水路７０上には、オートクリーンユニット６０及び負圧破壊装置１５４が設けられている。オートクリーンユニット６０は、温水から機能水を生成する機能水生成部６１を含む。機能水は、例えば、除菌機能を有する除菌水である。例えば、機能水生成部６１は、電解槽を含み、電解槽の内部を流れる水道水（温水）を電気分解することにより、次亜塩素酸を含む機能水を生成する。オートクリーンユニット６０は、衛生洗浄装置１００の使用後に、ノズル部４７０に機能水を供給する。これにより、ノズル４７３の外周表面（胴体）などを除菌することができる。
【００４４】
なお、「機能水」とは、次亜塩素酸などの除菌成分を水道水よりも多く含む溶液をいう。また、機能水生成部６１において生成される機能水は、銀イオンや銅イオンなどの金属イオンを含む溶液、電解塩素やオゾンなどを含む溶液であってもよい。機能水は、酸性水やアルカリ水であってもよい。実施形態において、殺菌水生成部は、電解槽に限定されるわけではない。例えば、除菌水は、除菌剤または除菌液を水に溶解させることによって生成されてもよい。
【００４５】
図４（ａ）〜図４（ｃ）は、実施形態に係る衛生洗浄装置の一部を例示する斜視図及び断面図である。  
図４（ａ）は、切替部５０を例示する斜視図であり、図４（ｂ）は、図４（ａ）に示すＡ−Ａ線における断面を表す。図４（ｃ）は、図４（ｃ）に示すＢ−Ｂ線における断面を示す。
【００４６】
図４（ａ）に表したように、切替部５０は、流入口５０ａと、流出口５０ｂと、流出口５０ｃと、を有する。流出口５０ｂは、第１捨水路８１と接続されており、流出口５０ｃは、ノズル側水路５５と接続されている。ミキシングバルブ３０から供給された温水は、流入口５０ａを通って、流出口５０ｂ及び流出口５０ｃのいずれかに流れる。
【００４７】
図４（ｂ）に示した矢印Ａ７のように切替部５０に流入した温水は、矢印Ａ８及び矢印Ａ９の２つの方向に分かれる。  
図４（ｃ）に示すように、切替部５０は、電磁弁１５０、第１弁１５１及び第２弁１５２を有する。第１弁１５１及び第２弁１５２には、例えばダイヤフラムを用いることができる。第１弁１５１は、方向Ｄ１に沿って変位（移動）可能である。第２弁１５２は、方向Ｄ２に沿って変位（移動）可能である。図４（ｃ）は、第１弁１５１及び第２弁１５２の双方が閉じた状態を示す。
【００４８】
図４（ｂ）の矢印Ａ８の方向に流れた温水は、第１弁１５１が開くことにより、図４（ｃ）に示す領域Ｒ１、捨水側流路１５６、および領域Ｒ２を順に通り、流出口５０ｂへ流れる。一方、図４（ｂ）の矢印Ａ９の方向に流れた温水は、第２弁１５２が開くことにより、図４（ｃ）に示す領域Ｒ３、洗浄側流路１５７、及び領域Ｒ４を順に通って、流出口５０ｃへ流れる。第１弁１５１の開閉および第２弁１５２の開閉は、１つの電磁弁１５０によって制御される。
【００４９】
次に、図５（ａ）〜図５（ｃ）および図６（ａ）〜図６（ｃ）を参照して、電磁弁１５０による流路の切替について説明する。
【００５０】
図５（ａ）〜図５（ｃ）は、実施形態に係る衛生洗浄装置の一部を例示する斜視図及び断面図である。  
図５（ａ）は、切替部５０を例示する斜視図であり、図５（ｂ）は、図５（ａ）に示すＣ−Ｃ線における断面を表し、図５（ｃ）は、図５（ａ）に示すＤ−Ｄ線における断面を表す。  
図５（ｂ）及び図５（ｃ）は、電磁弁１５０が通電されていないオフの状態を表す。このとき、図５（ｃ）の領域Ｒ７に示すように、電磁弁１５０は、「閉」状態である。
【００５１】
電磁弁１５０がオフのときに、切替部５０に温水が流入すると、図５（ｂ）に示すように、第１弁１５１側に流れた温水は、矢印Ａ１０の方向に沿って流れる。温水が第１弁１５１まで達すると、第１弁１５１の端部（例えば領域Ｒ５を参照）は、水圧を受ける。これにより、第１弁１５１が開き、温水は、捨水側流路１５６へ流れる。
【００５２】
一方、図５（ｃ）に示すように、第２弁１５２側に流れた温水は、矢印Ａ１１の方向に沿って流れる。第２弁１５２の端部には、孔が設けられている（例えば領域Ｒ６を参照）。温水は、その孔を通って、第２弁１５２の背面に設けられた背面室１５５に流入する。電磁弁１５０がオフの状態では、温水が背面室１５５に溜まる。これにより、第２弁１５２は、背面から水圧を受け、第２弁１５２は閉じた状態となる。
【００５３】
このように、電磁弁１５０がオフのときに切替部５０に温水が流入した場合、第１弁１５１は、第２弁１５２よりも開きやすい。これにより、電磁弁１５０をオフとすることで、温水をノズル側水路５５へ流さずに第１捨水路８１へ流すことができる。
【００５４】
図６（ａ）〜図６（ｃ）は、実施形態に係る衛生洗浄装置の一部を例示する斜視図及び断面図である。  
図６（ａ）は、切替部５０を例示する斜視図であり、図６（ｂ）及び図６（ｃ）は、図６（ａ）に示すＥ−Ｅ線における断面を表す。  
図６（ｂ）及び図６（ｃ）は、電磁弁１５０が通電されているオンの状態を表す。このとき、図６（ｂ）の領域Ｒ８に示すように、電磁弁１５０は、「開」状態である。
【００５５】
電磁弁１５０がオンのときに、切替部５０に温水が流入すると、図６（ｂ）に示すように、第２弁１５２側に流れた温水は、領域Ｒ３から背面室１５５へ流れる。ここで、電磁弁１５０が開いているため、温水は、背面室１５５に溜まらない。このため、第２弁１５２が背面から受ける水圧は、小さい。一方、第２弁１５２の端部は、領域Ｒ３から流入する温水によって正面側から水圧を受ける。これにより、第２弁１５２が開き、矢印Ａ１２に示すように、温水は、洗浄側流路１５７及び領域Ｒ４を通って、ノズルへ流れる。
【００５６】
また、第２弁１５２が開くと、温水は、矢印Ａ１３のように第１弁１５１の背面側に流れる。これにより、第１弁１５１は、図６（ｃ）に示すように、背面側から水圧を受ける。
【００５７】
一方、電磁弁１５０がオンのときに、切替部５０に流入した温水は、領域Ｒ１からも、第１弁１５１側へ流れる。これにより、図６（ｃ）に示すように、第１弁１５１は、その端部において正面側から水圧を受ける。
【００５８】
このように、第１弁１５１は、正面の端部から水圧を受けつつ、背面の全面からも水圧を受ける。背面側から水圧を受ける面積は、正面側から水圧を受ける面積よりも大きいため、第１弁１５１は閉じた状態となる。すなわち、領域Ｒ１から流入した温水は、捨水側流路１５６及び領域Ｒ２へ流れない。
【００５９】
このように、電磁弁１５０がオンのときに切替部５０に温水が流入した場合、第２弁１５２は、第１弁１５１よりも開きやすい。これにより、電磁弁１５０をオンとすることで、温水を第１捨水路８１へ流さずにノズル側水路５５へ流すことができる。
【００６０】
以上説明したように、実施形態においては、１つの電磁弁１５０によって、温水がノズル側水路５５へ流れる状態と、温水が第１捨水路８１へ流れる状態と、を切り替えることができる。このため、切替部５０に電磁弁を２つ設ける必要がない。従って、コンパクトで低コストな衛生洗浄装置を提供することができる。
【００６１】
また、上述したとおり、電磁弁１５０がオフのときに切替部５０に温水が流入した場合、第１弁１５１は、第２弁１５２よりも開きやすい。このため、電磁弁１５０が故障して開かない場合でも、温水は、第１捨水路８１側へ向かう。これにより、意図せずに、ノズルから使用者へ向けて温水が噴射されることを防ぐことができる。例えば、安全性をより向上させることができる。
【００６２】
次に、図７及び図８を参照して、実施形態に係る衛生洗浄装置１００の動作についてさらに説明する。  
図７及び図８は、実施形態に係る衛生洗浄装置の動作の具体例を例示するタイミングチャートである。  
図７に表したように、まず、時刻Ｔ１において人体検知手段（例えば着座検知センサ４０４）が人体を検知すると、給水電磁弁１６及び給湯電磁弁２６が開かれる。これにより、ミキシングバルブ３０に湯及び水が供給され、ミキシングバルブ３０の下流に温水が流れる。このとき、切替弁（電磁弁１５０）はＯＦＦであり、温水は第１捨水路８１へ流れる。温水が適温となるために必要な時間（流量）に応じて、温水が第１捨水路８１から排出される（期間Ｐ１）。その後、給水電磁弁及び給湯電磁弁が閉じられ、湯及び水の供給が停止する。
【００６３】
その後、例えば、使用者が操作部５００を操作することで、「おしり洗浄」が開始される。時刻Ｔ２において、電磁弁１５０がＯＮに切り替えられる。これにより、ミキシングバルブ３０から供給される温水が、ノズル側水路５５へ流れることが可能な状態となる。そして、時刻Ｔ３において、給水電磁弁１６及び給湯電磁弁２６が開かれ、ノズル側水路５５へ温水が供給される。
【００６４】
「おしり洗浄」が実行されるときには、まず、前洗浄（期間Ｐ２）が行われ、その後、胴体洗浄（期間Ｐ３）が行われる。前洗浄では、ノズル４７３がケーシング内に収納された状態で、流量切替弁４７１及び流路切替弁４７２による制御により、吐水口４７４が吐水する。これにより、吐水口４７４が洗浄される（セルフクリーン；ＳＣ）。
【００６５】
期間Ｐ３の胴体洗浄では、流量切替弁４７１及び流路切替弁４７２による制御により、ノズル４７３は、ボウル８０１内に進出した状態で吐水する。これにより、ノズル４７３の胴体（外周表面）が洗浄される。
【００６６】
その後、流量切替弁４７１及び流路切替弁４７２の制御によって、「おしり洗浄」用の吐水口４７４が吐水し、便座２００に着座した使用者の「おしり」を洗浄する（期間Ｐ４及びＰ５）。
【００６７】
その後、例えば時刻Ｔ４において、使用者が操作部５００を操作して「おしり洗浄」の停止を指示する。すると、胴体洗浄（期間Ｐ６）が行われ、続いて、後洗浄（期間Ｐ７）が行われる。期間Ｐ６の胴体洗浄では、流量切替弁４７１及び流路切替弁４７２による制御により、ノズル４７３は、ボウル８０１内に進出した状態で吐水する。これにより、ノズル４７３の胴体（外周表面）が洗浄される。期間Ｐ７の後洗浄では、ノズル４７３が収納された状態で、流量切替弁４７１及び流路切替弁４７２による制御により、吐水口４７４が吐水する。これにより、吐水口４７４が洗浄される。後洗浄が終了すると、時刻Ｔ５において、給水電磁弁１６及び給湯電磁弁２６が閉じられる。すなわち、時刻Ｔ５において、ミキシングバルブ３０への湯及び水の供給が停止する。
【００６８】
その後、時刻Ｔ６において、電磁弁１５０が閉じられる。また、ノズル４７３の流路及び流量は、原点（所定の初期状態）に設定される（時刻Ｔ７）。これにより、衛生洗浄装置は、待機状態となる。（期間Ｐ１０）例えば、その後の時刻Ｔ８において、着座検知センサ４０４が使用者の離座を検知する。
【００６９】
図８は、図７に示した時刻Ｔ８の後の衛生洗浄装置１００の動作を例示している。例えば、時刻Ｔ８における離座検知から、着座が検知されない状態が所定時間（例えば５秒程度）継続すると（時刻Ｔ９）、水抜きが行われる（期間Ｐ１１）。つまり、ノズル４７３内に残留した水が、ノズル４７３から排出される。
【００７０】
続いて、例えば使用者の離座が検知されてから所定時間（例えば２５秒程度）が経過すると、「離座除菌動作」（オートクリーン）が開始される。「離座除菌動作」では、機能水生成部６１で生成された機能水（除菌水）によって、ノズル部４７０（ノズル４７３）を除菌する。例えば、期間Ｐ１１の後の時刻Ｔ１１において、電磁弁１５０がＯＮにされる。時刻Ｔ１１の後の時刻Ｔ１２において、給水電磁弁１６及び給湯電磁弁２６が開かれる。
【００７１】
その後、生成された機能水を用いて、前除菌（期間Ｐ１２）が行われ、その後、胴体除菌（期間Ｐ１３）が行われ、続いて、後除菌（期間Ｐ１４）が行われる。
【００７２】
前除菌及び後除菌では、流量切替弁４７１及び流路切替弁４７２による制御によって、ノズル４７３が収納された状態で吐水口４７４が機能水を吐水する。胴体除菌では、流量切替弁４７１及び流路切替弁４７２による制御によって、ノズル４７３は、ボウル８０１内に進出した状態で機能水を吐水する。これにより、ノズル４７３の表面や内部が除菌される。
【００７３】
後除菌が終了すると時刻Ｔ１６において給水電磁弁１６、給湯電磁弁２６はＯＦＦとされ、時刻Ｔ１７において電磁弁１５０もＯＦＦとされる。その後、期間Ｐ１５において、期間Ｐ１１と同様に水抜きが行われる。
【００７４】
衛生洗浄装置１００は、衛生洗浄装置が使用されない状態（局部洗浄を行わない状態）が一定期間（期間Ｐ１６）継続すると、「定期除菌動作」を行う。期間Ｐ１６の長さは、８時間程度である。例えば、期間Ｐ１６の後の時刻Ｔ１８において、電磁弁１５０がＯＮにされる。時刻Ｔ１８の後の時刻Ｔ１９において、給水電磁弁１６及び給湯電磁弁２６が開かれる。
【００７５】
その後、生成された機能水を用いて、前除菌（期間Ｐ１７）が行われ、続いて、後除菌（期間Ｐ１８）が行われる。この間、ノズルには機能水が供給されている。これにより、ノズル４７３の表面や内部が除菌される。
【００７６】
後除菌が終了すると時刻Ｔ１６において給水電磁弁１６、給湯電磁弁２６はＯＦＦとされ、時刻Ｔ２２において電磁弁１５０もＯＦＦとされる。その後、期間Ｐ１９において、期間Ｐ１１と同様に水抜きが行われる。
【００７７】
以上説明したように、実施形態に係る衛生洗浄装置１００では、ノズル４７３へ温水を供給するときに、まず、切替部５０の電磁弁１５０をＯＮにする（例えば時刻Ｔ２）。その後、給水電磁弁１６及び給湯電磁弁２６をＯＮにする（例えば時刻Ｔ３）。  
つまり、制御部４８０は、ミキシングバルブ３０から切替部５０に温水が供給される前に、電磁弁１５０を開（ＯＮ）状態とする。
【００７８】
既に述べたように、電磁弁１５０がＯＮのときは、ノズル側水路５５の通水を制御する第２弁１５２は、第１捨水路８１の通水を制御する第１弁１５１よりも開きやすい。このため、切替部５０への温水の供給の前に、電磁弁１５０をＯＮとしておくことで、切替部５０に温水が供給された時点では、既に第２弁１５２が開きやすい状態となっている。これにより、スムーズに第２弁１５２を開き、ノズル４７３へ温水を供給することができる。
【００７９】
逆に、給水電磁弁１６及び給湯電磁弁２６をＯＮにした後に、電磁弁１５０をＯＮとすると、電磁弁１５０がＯＮになる前に切替部５０に温水が供給される。このとき、第２弁１５２よりも第１弁１５１の方が開きやすいため、第２弁１５２が閉じ第１弁１５１が開く。このため、意図せず、第１捨水路８１へ温水が流れてしまう。その後、電磁弁１５０をＯＮとすることで、第１弁１５１が閉じ、第２弁１５２が開き、ノズル側水路５５へ温水が供給される。つまり、この場合、ノズル側水路５５へ温水を供給する際に、第２弁１５２は、一旦、閉じられてから、開かれる。同様に、第１弁１５１は、一旦、開かれてから閉じられる。このように、切替部５０に温水が供給された後に電磁弁１５０をＯＮとすると、第１弁１５１及び第２弁１５２に不要な変位（振動）が生じることとなる。このため、流路の切替がスムーズに行えず、切替部５０の動作が不安定となるおそれがある。また、流路の切替に時間を要し、電磁弁１５０の動作に対する応答性が低下するおそれがある。
【００８０】
これに対して、実施形態に係る衛生洗浄装置１００では、制御部４８０は、電磁弁１５０がＯＮの状態において、ミキシングバルブ３０から切替部５０への温水の流入が開始するように、電磁弁１５０、給水電磁弁１６及び給湯電磁弁２６を制御する。これにより、第１弁１５１、第２弁１５２に生じる不要な変位を抑制し、切替部５０の動作を安定させることができる。
【００８１】
また、実施形態に係る衛生洗浄装置１００では、ノズル４７３への温水の供給を停止するときに、まず、給水電磁弁１６及び給湯電磁弁２６をＯＦＦにする（例えば時刻Ｔ５）。その後、切替部５０の電磁弁１５０をＯＦＦにする（例えば時刻Ｔ６）。  
つまり、制御部４８０は、給水電磁弁１６及び給湯電磁弁２６がＯＮからＯＦＦに遷移した場合に、電磁弁１５０をＯＦＦとする。
【００８２】
衛生洗浄装置１００において、ノズル４７３へ温水が供給されている状態は、切替部５０に温水が流入し、電磁弁１５０が通電され、第２弁１５２が開いている状態である。このとき、ノズル４７３への温水の供給を停止させるために、切替部５０に温水が流入する状態（すなわち、給水電磁弁１６及び給湯電磁弁２６がＯＮ）のまま、電磁弁１５０をＯＦＦに切り替えると、第１弁１５１が開くこととなる。
【００８３】
これに対して、実施形態において、制御部４８０は、切替部５０への温水の流入を停止させてから電磁弁１５０を、通電されている状態（ＯＮ）から通電されていない状態（ＯＦＦ）に切り替える。これにより、第１弁１５１が不要に開くことを抑制することができる。
【００８４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ミキシングバルブ、ノズル、切替部、流路などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８５】
１０ 給水接続部、  １１ ストレーナ、  １２ 逆止弁、  １３ 止水弁、  １４ 水側配管部、  １５ 水側バルブユニット、  １６ 給水電磁弁、  １７ 水側調圧弁、  ２０ 給湯接続部、  ２１ ストレーナ、  ２２ 逆止弁、  ２３ 止水栓、  ２４ 湯側配管部、  ２５ 湯側バルブユニット、  ２６ 給湯電磁弁、  ２７ 湯側調圧弁、  ３０ ミキシングバルブ、  ４０ 安全弁部、  ４１ サーミスタ、  ４２ 安全弁、  ５０ 切替部、  ５０ａ 流入口、  ５０ｂ 流出口、  ５０ｃ 流出口、  ５１ 第１分岐部、  ５２ 第２分岐部、  ５５ ノズル側水路、  ６０ オートクリーンユニット、  ６１ 機能水生成部、  ７０ 導水路、  ８１ 第１捨水路、  ８２ 第２捨水路、  ９１ 給水管、  ９２ 給湯管、  １００ 衛生洗浄装置、  １１０ 流路、  １５０ 電磁弁、  １５１ 第１弁、  １５２ 第２弁、  １５３ 負圧破壊装置、  １５４ 負圧破壊装置、  １５５ 背面室、  １５６ 捨水側流路、  １５７ 洗浄側流路、  ２００ 便座、  ３００ 便蓋、  ４００ ケーシング、  ４０１ ケースプレート、  ４０２ 入室検知センサ、  ４０３ 人体検知センサ、  ４０４ 着座検知センサ、  ４７０ ノズル部、  ４７１ 流量切替弁、  ４７２ 流路切替弁、  ４７３ ノズル、  ４７４ 吐水口、  ４８０ 制御部、  ４８１ 脱臭ユニット、  ４８２ 脱臭ファン、  ５００ 操作部、  ８００ 便器、  ８０１ ボウル
【図１】
0006714817.tif 000002
【図２】
0006714817.tif 000003
【図３】
0006714817.tif 000004
【図４】
0006714817.tif 000005
【図５】
0006714817.tif 000006
【図６】
0006714817.tif 000007
【図７】
0006714817.tif 000008
【図８】
0006714817.tif 000009